(57)【要約】本発明に係る水量無段調節装置付きの口腔洗浄器は、スプレーヘッドと、スプレーガンと、制御スイッチと、容器と、水管と、水量無段調節装置とを備える。水量無段調節装置は、調節スイッチと、コントローラと、信号出力装置とを備える。調節スイッチを調節することによって、コントローラによって出力される信号を連続的に調節し、さらにスプレーガンから噴射される流体の圧力の大きさを連続的に調節することが可能である。ユーザは、本発明に係る水量無段調節装置付きの口腔洗浄器を使用する際に、個人の許容度及び好みに応じて自分に最も快適な水圧に調節することができるので、口腔洗浄器の使用過程における清掃効果及び快適度を極めて向上させる。本発明に係る水量無段調節装置付きの口腔洗浄器は、口腔観察装置に接続して使用することも可能であり、直視状態での水量の調節及び歯、口腔の清掃を実現し、清掃過程の画像及び映像の記録を行うことができる。
2021520924.tif 000002
【特許請求の範囲】
【請求項１】
スプレーヘッド（１）と、スプレーガン（２）と、制御スイッチ（３）と、容器（４）と、水管（５）と、水量無段調節装置（６）とを備える水量無段調節装置付きの口腔洗浄器（１００）であって、
Ａ、前記スプレーヘッド（１）は、前記スプレーガン（２）の先端に設けられており、前記制御スイッチ（３）は、前記スプレーガン（２）内の流体の噴射を制御可能であり、前記容器（４）内の流体は、前記水管（５）を介してスプレーガン（２）に接続されており、
Ｂ、前記水量無段調節装置（６）は、調節スイッチ（６１）と、コントローラ（６２）と、信号出力装置（６３）とを備え、前記調節スイッチ（６１）を調節することによって、前記コントローラ（６２）によって出力される信号を連続的に調節し、さらに前記スプレーガン（２）から噴射される流体の圧力の大きさを連続的に調節することが可能であることを特徴とする水量無段調節装置付きの口腔洗浄器。
【請求項２】
前記コントローラ（６２）によって調節される信号は、電圧、電流、パワー、周波数、又は波形であることを特徴とする請求項１に記載の水量無段調節装置付きの口腔洗浄器。
【請求項３】
前記調節スイッチ（６１）は、ノブ式調節スイッチであることを特徴とする請求項１に記載の水量無段調節装置付きの口腔洗浄器。
【請求項４】
前記調節スイッチ（６１）は、ノブ（６１−１）と、位置決め穴（６１−２）とを備え、
前記コントローラ（６２）は、ポテンショメータ（６２−１）と、制御チップ（６２−２）とを備え、前記ポテンショメータ（６２−１）の出力信号は、前記制御チップ（６２−２）の入力信号であり、かつ前記制御チップ（６２−２）の出力信号を制御することが可能なものであり、
前記ポテンショメータ（６２−１）には、前記位置決め穴（６１−２）内に嵌め込み可能なリンク（６２−１−１）が設けられており、
前記ノブ（６１−１）を回転することにより、前記リンク（６２−１−１）の回転を駆動することで、前記ポテンショメータ（６２−１）の出力信号の大きさを調節し、その上で前記制御チップ（６２−２）の出力信号を調節することを特徴とする請求項３に記載の水量無段調節装置付きの口腔洗浄器。
【請求項５】
前記調節スイッチ（６１）は、スライド式調節スイッチであることを特徴とする請求項１に記載の水量無段調節装置付きの口腔洗浄器。
【請求項６】
前記調節スイッチ（６１）は、ハンドル（６１−３）と、スライドブロック（６１−４）とを備え、
前記ポテンショメータ（６２−１）には、スライドスロット（６２−１−１）が設けられており、
前記スライドブロック（６１−４）は、前記スライドスロット（６２−１−１）内に嵌め込まれており、
往復移動するように前記ハンドル（６１−３）を押すことにより、前記スライドブロック（６１−４）を前記スライドスロット（６２−１−１）内において往復運動させることで、前記ポテンショメータ（６２−１）の出力信号の大きさを調節し、その上で前記制御チップ（６２−２）の出力信号を調節することを特徴とする請求項５に記載の水量無段調節装置付きの口腔洗浄器。
【請求項７】
前記口腔洗浄器（１００）は、吸水装置（７）を備え、
前記吸水装置（７）によって、前記容器（４）内の流体が、前記水管（５）を通って前記スプレーガン（２）に吸入された後に、前記スプレーヘッド（１）から噴射されることを特徴とする請求項１に記載の水量無段調節装置付きの口腔洗浄器。
【請求項８】
前記吸水装置（７）は、手動吸水装置又は電動吸水装置（７１）であることを特徴とする請求項７に記載の水量無段調節装置付きの口腔洗浄器。
【請求項９】
前記吸水装置（７）は、注水管（７１−１）と、モータ（７１−２）と、吐水管（７１−３）とを備える電動吸水装置（７１）であり、
前記モータ（７１−２）が作動すると、前記容器（４）内の液体が水管（５）を通って前記電動吸水装置（７１）に吸入された後、前記吐水管（７１−３）から噴射され、噴射された流体が前記水管（５）を通って前記スプレーガン（２）から噴射されることを特徴とする請求項８に記載の水量無段調節装置付きの口腔洗浄器。
【請求項１０】
前記水量無段調節装置（６）のコントローラ（６２）の出力信号が前記信号出力装置（６３）によって出力されると、前記モータ（７１−２）の回転数を制御することが可能であり、前記コントローラ（６２）の出力信号を調節するで、前記モータ（７１−２）の回転数を調節することができ、その上で前記スプレーヘッド（１）から噴射される流体の圧力の大きさを調節することができることを特徴とする請求項９に記載の水量無段調節装置付きの口腔洗浄器。
【請求項１１】
前記容器（４）は、前記口腔洗浄器（１００）の近端に取り外し可能に取り付けられていることを特徴とする請求項１に記載の水量無段調節装置付きの口腔洗浄器。
【請求項１２】
前記容器（４）は、加圧器（４１−１）と、ハウジング（４１−２）と、流体収容空間（４１−３）とを備える圧力容器（４１）であり、
流体圧力を上昇可能な前記加圧器（４１−１）は、前記ハウジング（４−２）に取り付けられていることを特徴とする請求項１に記載の水量無段調節装置付きの口腔洗浄器。
【請求項１３】
前記口腔洗浄器（１００）は、接続機構（３００）を介して口腔観察装置（２００）に接続されていることを特徴とする請求項１に記載の水量無段調節装置付きの口腔洗浄器。
【発明の詳細な説明】
【技術分野】
【０００１】
本発明は、口腔清掃用器具に関し、特に歯、歯間及び口腔を清掃するための水量無段調節装置付きの口腔洗浄器に関する。
【背景技術】
【０００２】
加齢、病変等の理由により、歯肉の萎縮及び歯間の拡大を非常に生じやすく、それによって食物残渣が極めて生じやすいことがある。食物残渣を適時に清掃することができない場合、一方では口臭が発生し、他方では様々な歯の疾病及び口腔疾患、特に歯周炎を引き起こしやすい。
【０００３】
このような状況に応えて、現在、様々なデンタルフロス、歯間ブラシ、ウォーターピック等の製品が、ユーザが選べるように市場で開発されている。特に、ウォーターピックという製品は、使用しやすく、清掃効果が良好であるので、現在、市場で非常に広く適用されている口腔清掃用製品となる。
【０００４】
ウォーターピックの作動原理は、一定の圧力で噴射される高速水ジェットの衝撃力により歯及び口腔に対する清掃を実現することである。そのため、高速水ジェットは、必ず口腔内の歯、歯肉等に非常に大きな衝撃を与え、個人は、自分の口腔状況によって、水ジェットの衝撃力に対する許容度が異なる。したがって、使用過程において、個人は、自分の許容度に応じて異なる水ジェットの衝撃速度を選択する必要がある。現在のウォーターピックは、一般的に、ユーザに異なるギアを選択させるステッピング処理という方法を採用している。このような方法は、操作が簡単であるが、実際上、常に洗浄効果及び快適性を両立させた個人に最適な水ジェットの衝撃力を選択できない。
【０００５】
従来技術の欠点を克服し、ユーザが最も快適な水ジェットの衝撃力を選択できるようになるために、水量を連続的に調節可能な口腔洗浄器を開発する必要がある。
【発明の概要】
【０００６】
本発明に係る水量無段調節装置付きの口腔洗浄器は、口腔洗浄器に水量無段調節装置を設けることにより、吐水量に対する無段連続的調節を実現し、ユーザが使用過程において自分の感覚に応じて最も快適な吐水量及び水ジェットの衝撃力を選択できるようになる。
【０００７】
本発明は、スプレーヘッド１と、スプレーガン２と、制御スイッチ３と、容器４と、水管５と、水量無段調節装置６とを備える水量無段調節装置付きの口腔洗浄器１００であって、
Ａ、前記スプレーヘッド１は、前記スプレーガン２の先端に設けられており、前記制御スイッチ３は、前記スプレーガン２内の流体の噴射を制御可能であり、前記容器４内の流体は、前記水管５を介してスプレーガン２に接続されており、
Ｂ、前記水量無段調節装置６は、調節スイッチ６１と、コントローラ６２と、信号出力装置６３とを備え、前記調節スイッチ６１を調節することによって、前記コントローラ６２によって出力される信号を連続的に調節し、さらに前記スプレーガン２から噴射される流体の圧力の大きさを連続的に調節することが可能であることを特徴とする水量無段調節装置付きの口腔洗浄器である。
【０００８】
前記水量無段調節装置６の調節スイッチ６１は、前記コントローラ６２によって出力される信号を連続的に調節できるので、前記出力装置６３によって出力される信号は、連続的に変化できるものであり、前記コントローラ６２の出力信号を連続的に調節することにより、前記スプレーガン２から噴射される流体の圧力の大きさに対する連続的調節を実現できる。ユーザは、口腔洗浄器を使用する際に、個人の許容度及び好みに応じて自分に最も快適な水圧の大きさに調節することができるので、口腔洗浄器の使用過程における清掃効果及び快適度を極めて向上させる。
【０００９】
前記コントローラ６２によって調節される信号は、電圧、電流、パワー、周波数、又は波形である。ここでは、出願人は、上記の信号のみを挙げたが、当業者は、流体圧力の大きさに対する調節を実現するために、本願の保護範囲から逸脱することなく、必要に応じて他の信号を調節することができる。
【００１０】
前記調節スイッチ６１は、ノブ式調節スイッチである。
【００１１】
前記調節スイッチ６１は、ノブ６１−１と、位置決め穴６１−２とを備え、前記コントローラ６２は、ポテンショメータ６２−１と、制御チップ６２−２とを備え、前記ポテンショメータ６２−１の出力信号は、前記制御チップ６２−２の入力信号であり、前記制御チップ６２−２の出力信号を制御可能であり、前記ポテンショメータ６２−１には、前記位置決め穴６１−２内に嵌め込み可能なリンク６２−１−１が設けられており、前記ノブ６１−１を回転させることにより、前記リンク６２−１−１を駆動して回転させ、前記ポテンショメータ６２−１の出力信号の大きさを調節し、さらに前記制御チップ６２−２の出力信号を調節することが可能である。
【００１２】
ノブ式調節スイッチは、前記ノブ６１−１を回転させることにより、電圧信号のような前記ポテンショメータ６２−１の出力信号を連続的に調節することができ、電圧信号のような前記ポテンショメータ６２−１の出力信号は、前記制御チップ６２−２の入力信号であり、前記制御チップ６２−２の入力信号を調節することにより、前記制御チップ６２−２の出力信号、例えば出力される電圧の大きさ、電流の大きさ、パワーの大きさ、周波数の大きさ、又はパルス波形等を連続的に調節することができる。前記制御チップ６２−２によって出力される信号は、前記吸水装置７の吸入による水圧の大きさ又は加圧器４１−１の圧力容器４１内の液体に対する加圧の大きさを制御することができる。前記制御チップ６２−２によって出力される信号を連続的に調節することにより、前記スプレーヘッド１から噴射される流体の圧力に対する連続的調節を実現できる。ノブ式調節スイッチは、前記ノブ６１−１を往復して回転させるだけで前記コントローラ６２の信号調節を実現でき、使用が簡単で便利である。
【００１３】
前記調節スイッチ６１は、スライド式調節スイッチである。
【００１４】
前記調節スイッチ６１は、ハンドル６１−３と、スライドブロック６１−４とを備え、前記ポテンショメータ６２−１には、スライドスロット６２−１−２が設けられており、前記スライドブロック６１−４は、前記スライドスロット６２−１−２内に嵌め込まれており、前記スライドブロック６１−４が前記スライドスロット６２−１−２内で往復運動するように、前記ハンドル６１−３を往復移動するように押すことにより、前記ポテンショメータ６２−１の出力信号の大きさを調節し、さらに前記制御チップ６２−２の出力信号を調節する。
【００１５】
スライド式調節スイッチは、前記スライドブロック６１−４が前記スライドスロット６２−１−２内に嵌め込まれているので、前記ハンドル６１−３を往復移動するように押すだけで、前記コントローラ６２の信号調節を実現でき、操作が非常に便利である。
【００１６】
ここでは、出願人は、ノブ式調節及びスライド式調節という２つの調節方式のみを挙げたが、当業者は、本願の保護範囲から逸脱することなく、必要に応じて他の信号調節方式を設計することができる。
【００１７】
前記口腔洗浄器１００は、前記容器４内の流体を前記水管５を通って前記スプレーガン２に吸入した後、前記スプレーヘッド１から噴射することを可能とする吸水装置７を備える。
【００１８】
前記吸水装置７は、手動吸水装置又は電動吸水装置７１である。
【００１９】
さらに、前記吸水装置７は、注水管７１−１と、モータ７１−２と、吐水管７１−３とを備える電動吸水装置７１であり、前記モータ７１−２が作動すると、前記容器４内の液体が水管５を通って前記電動吸水装置７１に吸入された後、前記吐水管７１−３から噴射され、噴射された流体が前記水管５を通ってから前記スプレーガン２から噴射される。
【００２０】
本発明に係る水量無段調節装置付きの口腔洗浄器は、電源８と、回路システム９とをさらに備える。前記電源８と、前記電動吸水装置７１と、前記水量無段調節装置６と、前記制御スイッチ３とは、前記回路システム９を介して接続されている。
【００２１】
前記水量無段調節装置６のコントローラ６２の出力信号が前記信号出力装置６３によって出力されると、前記モータ７１−２の回転数を制御可能であり、前記コントローラ６２の出力信号を調節するだけで、前記モータ７１−２の回転数を調節し、さらに前記スプレーヘッド１から噴射される流体の圧力の大きさを調節することが可能である。
【００２２】
前記容器４は、前記口腔洗浄器１００の近端に取り外し可能に取り付けられている。取り外し可能な接続方式によって、前記容器４を容易に取り外した後に洗浄することができるので、長期使用の際には、より衛生的で安全である。
【００２３】
使用時に、前記制御スイッチ３をオンにすると、前記電動吸水装置７１のモータ７１−２が作動し、前記容器４内の流体が前記水管５を通って前記電動吸水装置７１に吸入された後、前記吐水管７１−３から噴射され、噴射された流体が前記水管５を通って前記スプレーガン２に流入し、最終的に前記スプレーガン２のスプレーヘッド１から噴射される。前記ノブ６１−１を回転させ、又は前記ハンドル６１−３を往復移動するように押すことにより、噴射された流体の圧力の大きさを連続的に調節し、個人の好み及び清掃効果に応じて適切な水圧を選択し、その後、前記スプレーヘッド１を、清掃を必要とする部位と位置合わせし、歯及び口腔の清掃を行う。
【００２４】
前記容器４は、加圧器４１−１と、ハウジング４１−２と、流体収容空間４１−３とを備える圧力容器４１であり、流体圧力を上昇可能な前記加圧器４１−１は、前記ハウジング４−２に取り付けられている。
【００２５】
前記容器４は、圧力容器４１であってもよく、前記圧力容器４１の加圧器４１−１は、電動加圧器４１−１１であってもよい。前記電動加圧器４１−１１により前記流体収容空間４１−３内の流体を加圧することができ、これによって、前記流体収容空間４１−３内の流体が外圧の作用下で前記流体収容空間４１−３から前記水管５内に押し込まれ、前記スプレーガン２を通ってから前記スプレーヘッドから噴射される。前記水量無段調節装置６のコントローラ６２の前記出力装置６３によって出力する信号は、前記電動加圧器４１−１１の前記流体収容空間４１−３内の流体に対する加圧の大きさを制御することができ、加圧の大きさを連続的に調節することにより、前記スプレーガン２から噴射される流体の圧力の大きさをさらに制御する。
【００２６】
使用時に、前記制御スイッチ３をオンにすると、前記電動加圧器４１−１１が作動し、前記流体収容空間４１−３内の流体を加圧し、圧力の作用下で、前記流体収容空間４１−３内の流体が前記水管５を通って前記スプレーガン２内に押し込まれ、最終的に前記スプレーヘッドから噴射される。前記ノブ６１−１を回転させ、又は前記ハンドル６１−３を往復移動するように押すことにより、噴射された流体の圧力の大きさを調節し、個人の好み及び清掃効果に応じて適切な水圧を選択し、その後、前記スプレーヘッド１を、清掃を必要とする部位と位置合わせし、歯及び口腔の清掃を行う。
【００２７】
前記口腔洗浄器１００は、接続機構３００を介して口腔観察装置２００に接続可能である。本発明に係る口腔洗浄器は、前記接続機構３００を介して前記口腔観察装置２００に接続されることもできる。前記スプレーガン２のスプレーヘッド１は、前記口腔観察装置２００の観察システム２４の視野内にあることにより、直視状態での水量の調節及び歯、口腔の清掃を実現し、清掃過程の画像及び映像の記録を行うことができる。
【００２８】
本発明に係る水量無段調節装置付きの口腔洗浄器は、スプレーヘッド１と、スプレーガン２と、制御スイッチ３と、容器４と、水管５と、水量無段調節装置６とを備える。前記水量無段調節装置６は、調節スイッチ６１と、コントローラ６２と、信号出力装置６３とを備え、前記調節スイッチ６１を調節することによって、前記コントローラ６２によって出力される信号を連続的に調節し、さらに前記スプレーガン２から噴射される流体の圧力の大きさを連続的に調節することが可能である。ユーザは、本発明に係る水量無段調節装置付きの口腔洗浄器を使用する際に、個人の許容度及び好みに応じて自分に最も快適な水圧の大きさに調節することができるので、口腔洗浄器の使用過程における清掃効果及び快適度を極めて向上させる。本発明に係る水量無段調節装置付きの口腔洗浄器は、前記口腔観察装置２００に接続して使用することも可能であり、直視状態での水量の調節及び歯、口腔の清掃を実現し、清掃過程の画像及び映像の記録を行うことができる。
【図面の簡単な説明】
【００２９】
【図１】ノブ調節式の本発明に係る水量無段調節装置付きの口腔洗浄器の斜視構造模式図である。
【図２】図１の正面図である。
【図３】図１の背面図である。
【図４】図１の部分断面図である。
【図５】図１の平面図である。
【図５−１】図５のＡ−Ａ断面図である。
【図６】図１の分解図である。
【図７】スライド調節式の本発明に係る水量無段調節装置付きの口腔洗浄器の斜視構造模式図である。
【図８】図７の正面図である。
【図９】図７の背面図である。
【図１０】図７の部分断面図である。
【図１１】図１の断面図である。
【図１２】図７の分解図である。
【図１３】圧力容器を備える本発明に係る水量無段調節装置付きの口腔洗浄器の構造模式図である。
【図１４】口腔観察装置に接続可能な本発明に係る水量無段調節装置付きの口腔洗浄器の構造模式図である。
【００３０】
上記の図面において、
符号１００は本発明に係る水量無段調節装置付きの口腔洗浄器、符号２００は口腔観察装置、符号３００は接続機構である。
符号１はスプレーヘッド、符号２はスプレーガン、符号３は制御スイッチ、符号４は容器、符号５は水管、符号６は水量無段調節装置、符号７は吸水装置、符号８は電源、符号９は回路システムである。
符号４１は圧力容器、符号４１−１は加圧器、符号４１−１１は電動加圧器、符号４１−１１−１は吸気口、符号４１−１１−２はコンプレッサ、符号４１−１１−３は排気口、符号４１−２はハウジング、符号４１−３は流体収容空間である。
符号６１は調節スイッチ、符号６１−１はノブ、符号６１−２は位置決め穴、符号６１−３はハンドル、符号６１−４はスライドブロックである。符号６２はコントローラ、符号６２−１はポテンショメータ、符号６２−２は制御チップ、符号６２−３は信号出力システム、符号６２−１−１はリンク、符号６２−１−２はスライドスロットである。
符号７１は電動吸水装置、符号７１−１は注水管、符号７１−２はモータ、符号７１−３は吐水管である。
符号２４は口腔観察装置の観察システムである。
【発明を実施するための形態】
【００３１】
実施例１：ノブ調節式の本発明に係る水量無段調節装置付きの口腔洗浄器
【００３２】
図１〜図６に示すように、本実施例に係る水量無段調節装置付きの口腔洗浄器は、スプレーヘッド１と、スプレーガン２と、制御スイッチ３と、容器４と、水管５と、水量無段調節装置６と、吸水装置７とを備える。
【００３３】
前記スプレーヘッド１は、前記スプレーガン２の先端に設けられており、前記制御スイッチ３は、前記スプレーガン２内の流体の噴射を制御可能であり、前記容器４内の流体は、前記水管５を介してスプレーガン２に接続されている。
【００３４】
前記水量無段調節装置６は、調節スイッチ６１と、コントローラ６２と、信号出力装置６３とを備え、前記調節スイッチ６１を調節することによって、前記コントローラ６２によって出力される信号を連続的に調節し、さらに前記スプレーガン２から噴射される流体の圧力の大きさを連続的に調節することが可能である。
【００３５】
本実施例において、前記調節スイッチ６１は、ノブ式調節スイッチである。
【００３６】
前記調節スイッチ６１は、ノブ６１−１と、位置決め穴６１−２とを備え、前記コントローラ６２は、ポテンショメータ６２−１と、制御チップ６２−２とを備え、前記ポテンショメータ６２−１の出力信号は、前記制御チップ６２−２の入力信号であり、前記制御チップ６２−２の出力信号を制御可能であり、前記ポテンショメータ６２−１には、前記位置決め穴６１−２内に嵌め込み可能なリンク６２−１−１が設けられており、前記ノブ６１−１を回転させることにより、前記リンク６２−１−１を駆動して回転させ、前記ポテンショメータ６２−１の出力信号の大きさを調節し、さらに前記制御チップ６２−２の出力信号を調節することが可能である。
【００３７】
本実施例において、前記吸水装置７は、注水管７１−１と、モータ７１−２と、吐水管７１−３とを備える電動吸水装置７１である。前記モータ７１−２が作動すると、前記容器４内の液体が水管５を通って前記電動吸水装置７１に吸入された後、前記吐水管７１−３から噴射され、噴射された流体が前記水管５を通ってから前記スプレーガン２から噴射される。
【００３８】
本実施例において、前記ノブ６１−１を回転させることにより、前記リンク６２−１−１を駆動して回転させ、前記ポテンショメータ６２−１の出力電圧を調節することができ、前記ポテンショメータ６２−１の出力電圧は、前記制御チップ６２−２の入力電圧である。前記制御チップ６２−２は、入力電圧の変化に従って、出力されるパルス波形も変化する。パルス波形の変化によって、前記電動吸水装置７１のモータ７１−２の回転数を調節し、さらに前記電動吸水装置７１の吸水速度を調節することができ、よって、前記スプレーガン２から噴射される流体の流量及び圧力の調節という目的を達成する。
【００３９】
前記ポテンショメータ６２−１の出力信号は、電流、パワー、周波数、又は波形等の他の電気信号であってもよい。前記ポテンショメータ６２−１の出力信号は、前記制御チップ６２−２の入力信号である。前記制御チップ６２−２の出力信号は、本実施例に記載のパルス波形信号のほか、本願の保護範囲から逸脱することなく、電圧、電流、パワー、周波数又は他の制御信号であってもよい。
【００４０】
本実施例において、前記制御チップ６２−２の出力信号は、前記モータ７１−２の回転数を制御することにより、前記電動吸水装置７１の吸水速度を調節し、さらに前記スプレーガン２から噴射される流体の流量及び圧力を調節することを実現する。当業者は、本願の保護範囲から逸脱することなく、実際の必要に応じて、前記吸水装置７１の真空度に対する制御等により前記電動吸水装置７１の吸水速度を制御するような他の制御方式を設計してもよい。
【００４１】
本実施例において、前記容器４は、前記口腔洗浄器１００の近端に取り外し可能に取り付けられている。取り外し可能な接続方式によって、前記容器４を容易に取り外した後に洗浄することができるので、長期使用の際には、より衛生的で安全である。
【００４２】
本発明に係る水量無段調節装置付きの口腔洗浄器は、電源８と、回路システム９とをさらに備える。前記電源８と、前記電動吸水装置７１と、前記水量無段調節装置６と、前記制御スイッチ３とは、前記回路システム９を介して接続されている。
【００４３】
使用時に、前記制御スイッチ３をオンにすると、前記電動吸水装置７１のモータ７１−２が作動し、前記容器４内の流体が前記水管５を通って前記電動吸水装置７１に吸入された後、前記吐水管７１−３から噴射され、噴射された流体が前記水管５を通って前記スプレーガン２に流入し、最終的に前記スプレーガン２のスプレーヘッド１から噴射される。前記ノブ６１−１を回転させ、又は前記ハンドル６１−３を往復移動するように押すことにより、噴射された流体の圧力の大きさを調節し、個人の好み及び清掃効果に応じて適切な水圧を選択し、その後、前記スプレーヘッド１を、清掃を必要とする部位と位置合わせし、歯及び口腔の清掃を行う。
【００４４】
ノブ式調節スイッチは、前記ノブ６１−１を往復して回転させるだけで、前記コントローラ６２の信号の連続的調節を実現でき、使用が簡単で便利である。
【００４５】
本実施例に係る水量無段調節装置付きの口腔洗浄器は、前記スプレーガン２から噴射される流体の圧力の大きさを連続的に調節することができる。ユーザは、本実施例に係る水量無段調節装置付きの口腔洗浄器を使用する際に、個人の許容度及び好みに応じて自分に最も快適な水圧の大きさに調節することができるので、口腔洗浄器の使用過程における清掃効果及び快適度を極めて向上させる。
【００４６】
実施例２：スライド調節式の本発明に係る水量無段調節装置付きの口腔洗浄器
【００４７】
図７〜図１２に示すように、本実施例と実施例１との相違は、本実施例において、前記口腔洗浄器１００の調節スイッチ６１−１は、スライド式調節スイッチである点にある。
【００４８】
前記調節スイッチ６１は、スライド式調節スイッチである。
【００４９】
本実施例において、前記調節スイッチ６１は、ハンドル６１−３と、スライドブロック６１−４とを備え、前記ポテンショメータ６２−１には、スライドスロット６２−１−２が設けられており、前記スライドブロック６１−４は、前記スライドスロット６２−１−２内に嵌め込まれている。
【００５０】
前記スライドブロック６１−４が前記スライドスロット６２−１−２内で往復運動するように、前記ハンドル６１−３を往復移動するように押すことにより、前記ポテンショメータ６２−１の出力信号の大きさを調節することができる。前記ポテンショメータ６２−１の出力信号は、前記制御チップ６２−２の入力信号であり、前記制御チップ６２−２の出力信号を調節することにより、前記制御チップ６２−２の出力信号を調節し、さらに前記電動吸水装置７１の吸水速度を調節することができ、よって、前記スプレーガン２から噴射される流体の流量及び圧力の調節という目的を達成する。
【００５１】
スライド式調節スイッチは、前記スライドブロック６１−４が前記スライドスロット６２−１−２内に嵌め込まれているので、前記ハンドル６１−３を往復移動するように押すだけで、前記コントローラ６２の信号調節を実現でき、操作が非常に便利で順調である。
【００５２】
実施例３：圧力容器を備える本発明に係る水量無段調節装置付きの口腔洗浄器
【００５３】
図１３に示すように、本実施例と実施例１との相違は、本実施例において、前記容器４が、圧力容器４１である点にある。
【００５４】
前記圧力容器４１は、加圧器４１−１と、ハウジング４１−２と、流体収容空間４１−３とを備える。流体圧力を上昇可能な前記加圧器４１−１は、前記ハウジング４−２に取り付けられている。
【００５５】
本実施例において、前記圧力容器４１の加圧器４１−１は、電動加圧器４１−１１であり、前記電動加圧器４１−１１により前記流体収容空間４１−３内の流体を加圧することができ、これによって、前記流体収容空間４１−３内の流体が圧力の作用下で前記流体収容空間４１−３から前記水管５内に押し込まれ、前記スプレーガン２を通ってから前記スプレーヘッドから噴射される。
【００５６】
本実施例において、前記電動加圧器４１−１１は、エアコンプレッサである。前記電動加圧器４１−１１は、吸気管４１−１１−１と、コンプレッサ４１−１１−２と、排気管４１−１１−３とを備える。作動時に、前記コンプレッサ４１−１１−２が稼働し、前記吸気管４１−１１−１から吸入される空気を加圧した後に、流体の上方に設けられている排気管４１−１１−３から前記流体収容空間４１−３内の流体を加圧する。
【００５７】
前記水量無段調節装置６のコントローラ６２の前記出力装置６３によって出力する信号は、前記コンプレッサ４１−１１−２の前記流体収容空間４１−３内の流体に対する加圧の大きさを制御することができ、加圧の大きさを連続的に調節することにより、前記スプレーガン２から噴射される流体の圧力の大きさをさらに制御することができる。
【００５８】
使用時に、前記制御スイッチ３をオンにすると、前記電動加圧器４１−１１が作動し、前記流体収容空間４１−３内の流体を加圧し、圧力の作用下で、前記流体収容空間４１−３内の流体が前記水管５を通って前記スプレーガン２内に押し込まれ、最終的に前記スプレーヘッドから噴射される。前記ノブ６１−１を回転させ、又は前記ハンドル６１−３を往復移動するように押すことにより、噴射された流体の圧力の大きさを調節し、個人の好み及び清掃効果に応じて適切な水圧を選択し、その後、前記スプレーヘッド１を、清掃を必要とする部位と位置合わせし、歯及び口腔の清掃を行う。
【００５９】
本実施例において、前記電動加圧器４１−１１は、水中ポンプ等の他の形式の加圧器であってもよい。前記流体収容空間４１−３内の流体を加圧することにより前記スプレーガン２から噴射する。いかなる形式の加圧器も本願の保護範囲から逸脱しない。
【００６０】
実施例４：口腔観察装置に接続される本発明に係る水量無段調節装置付きの口腔洗浄器
【００６１】
図１４に示すように、本実施例と実施例１との相違は、本実施例において、前記水量無段調節装置付きの口腔洗浄器１００が接続機構３００を介して口腔観察装置２００に接続可能であり、直視状態での歯及び口腔の清掃を実現する点にある。
【００６２】
使用時に、前記口腔観察装置２００の観察システム２４を起動させ、前記制御スイッチ３をオンにすると、前記電動吸水装置７１のモータ７１−２が作動し、前記容器４内の流体が前記水管５を通って前記電動吸水装置７１に吸入された後、前記吐水管７１−３から噴射され、噴射された流体が前記水管５を通って前記スプレーガン２に流入し、最終的に前記スプレーガン２のスプレーヘッド１から噴射される。流体圧力を下げた後、前記スプレーヘッド１を、清掃を必要とする歯又は歯間と位置合わせし、直視状態で前記調節スイッチ６１を調節することにより、清掃効果が良好で快適なレベルになるまで前記スプレーヘッド１から噴射される水流の流量及び速度の大きさを調節し、その後、直視状態で歯及び口腔の清掃を行う。
【００６３】
本実施例において、前記スプレーガン２のスプレーヘッド１は、前記口腔観察装置２００の観察システム２４の視野内にあることにより、直視状態で前記スプレーヘッド１から噴射される流体の大きさ及び速度をリアルタイムで観察し、水量の調節を行うとともに、直視状態で歯、口腔の清掃を行うことができ、さらに清掃過程の画像及び映像の記録を行うことができ、使用過程がより安全で信頼的である。
【００６４】
なお、本明細書で開示され、記載されている各構造は、同じ効果を有する他の構造に置き換えられてもよく、本明細書に記載の実施例は本発明を実現する唯一の構造ではないことに留意されたい。本明細書では本発明の好ましい実施例について紹介及び説明したが、当業者にはこれらの実施例が例示して説明したものに過ぎないことがわかるであろう。当業者は、本発明から逸脱することなく多くの変更、改良及び置換を行うことができる。したがって、本発明の保護範囲は、本発明の添付の特許請求の範囲の思想及び範囲に従って規定されるべきである。
【図１】
2021520924.tif 000003
【図２】
2021520924.tif 000004
【図３】
2021520924.tif 000005
【図４】
2021520924.tif 000006
【図５】
2021520924.tif 000007
【図５−１】
2021520924.tif 000008
【図６】
2021520924.tif 000009
【図７】
2021520924.tif 000010
【図８】
2021520924.tif 000011
【図９】
2021520924.tif 000012
【図１０】
2021520924.tif 000013
【図１１】
2021520924.tif 000014
【図１２】
2021520924.tif 000015
【図１３】
2021520924.tif 000016
【図１４】
2021520924.tif 000017
【国際調査報告】
2021520924.tif 000018
2021520924.tif 000019
2021520924.tif 000020
2021520924.tif 000021